(57)【要約】【課題】送信モジュールの電源にＡＣアダプタを用いない構成にした信号伝送装置及び送信モジュールを提供する。【解決手段】ホストコンピュータ１には、ホストコンピュータ１からの画像情報に基づいてＤＶＩ信号を生成するＤＶＩ信号処理カード３０と、ＰＣＩバスから電源供給を受けると共に、ＤＶＩ信号処理カード３０からのＤＶＩ信号を光信号に変換して出力する送信モジュール２０とが２つのＰＣＩスロット１２に装着されている。送信モジュール２０は、ＰＣＩバスからの電源により動作する。送信モジュール２０には、光ファイバ３及び電気ケーブル４を介して受信モジュール６が接続されている。【選択図】図１
2008228041.tif 000002
【特許請求の範囲】
【請求項１】
ホストコンピュータのバスから電源供給を受けると共に、前記ホストコンピュータから画像情報を含む電気信号が入力され、少なくとも前記画像情報を光信号として光伝送媒体へ出力する送信モジュールと、
前記光伝送媒体を介して前記送信モジュールから送信された前記光信号を受信し、この受信信号を電気信号にして出力する受信モジュールと、
を備えたことを特徴とする信号伝送装置。
【請求項２】
前記受信モジュールは、電気ケーブルを介して前記送信モジュールから電源供給を受けることを特徴とする請求項１に記載の信号伝送装置。
【請求項３】
ホストコンピュータ内に設置されると共に前記ホストコンピュータのバスから電源供給を受ける電源供給用基板と、
前記電源供給用基板から電源供給を受けると共に前記ホストコンピュータからの画像情報を含む電気信号が入力され、少なくとも前記画像情報を光信号として光伝送媒体へ出力する送信モジュールと、
前記光伝送媒体を介して前記送信モジュールから送信された前記光信号を受信し、この受信信号を電気信号にして出力する受信モジュールと、
を備えたことを特徴とする信号伝送装置。
【請求項４】
前記送信モジュールは、前記ホストコンピュータ内に設置されていることを特徴とする請求項１または３に記載の信号伝送装置。
【請求項５】
複数の発光素子を備えた光コネクタと、
ホストコンピュータからの画像情報に基づいて前記複数の発光素子を駆動する電気−光変換回路素子と、
前記ホストコンピュータの電源ラインを含むバスに接続されたスロットに装着されると共に、前記光コネクタ及び前記電気−光変換回路素子を搭載した基板とを備えたことを特徴とする送信モジュール。
【請求項６】
前記基板は、前記ホストコンピュータからの画像情報をＤＶＩ（Digital Visual Interface）信号に変換して前記電気−光変換回路素子へ出力するビデオ／ＤＶＩ回路素子を搭載していることを特徴とする請求項５に記載の送信モジュール。
【発明の詳細な説明】
【技術分野】
【０００１】
本発明は、信号伝送装置及び送信モジュールに関する。
【背景技術】
【０００２】
ホストコンピュータと画像表示装置へＤＶＩ（Digital Visual Interface）信号をホストコンピュータから伝送する場合、ＤＶＩ信号を光信号に変換して伝送することにより、伝送損失を生じることなく、長距離を伝送することができる。
【０００３】
ＤＶＩは、業界団体であるＤＤＷＧ（Digital Display Working Group）が策定したものであり、ＴＭＤＳ（Transmission Minimized Differential signaling）と呼ばれる規格により、１ビット当たり最高１．６５Ｇｂｐｓの高速伝送が可能になっている。
【０００４】
例えば、パーソナルコンピュータに画像信号ケーブル（メタルケーブル）を介して送信モジュールを接続し、この送信モジュールでＤＶＩ信号を光信号に変換し、変換した光信号を光ファイバを介して画像表示装置側の受信モジュールへ伝送し、受信モジュールで変換したＤＶＩの電気信号を画像信号ケーブルにより画像表示装置へ伝送する信号伝送装置が知られている（特許文献１参照）。
【０００５】
ところで、ＤＶＩにおいては、制御信号にＤＣ＋５Ｖが出力されているが、上記ＤＤＷＧの規格では、＋５Ｖの容量の上限が５０ｍＡになっている。これに対し、光信号と電気信号との変換を行う送信モジュール及び受信モジュールは、数１００ｍＡの電流を必要とするため、ＤＶＩの電源ラインを用いて送・受信のモジュールを駆動することはできない。
【０００６】
そこで、特許文献１の送信モジュールでは、送信モジュールと受信モジュールのそれぞれに個別にＡＣアダプタを接続し、光信号と電気信号の変換に必要な十分な電流量を供給できるようにしている。
【特許文献１】特開２００５−５１７３０号公報
【発明の開示】
【発明が解決しようとする課題】
【０００７】
本発明の目的は、送信モジュールの電源にＡＣアダプタを用いない構成にした信号伝送装置及び送信モジュールを提供することにある。
【課題を解決するための手段】
【０００８】
本発明の一態様は、上記目的を達成するため、以下の信号伝送装置及び送信モジュールを提供する。
【０００９】
［１］ホストコンピュータのバスから電源供給を受けると共に、前記ホストコンピュータから画像情報を含む電気信号が入力され、少なくとも前記画像情報を光信号として送信する送信モジュールと、光伝送媒体を介して前記送信モジュールから送信された前記光信号を含む信号を受信し、この受信信号を電気信号にして出力する受信モジュールと、を備えたことを特徴とする信号伝送装置。
【００１０】
［２］前記受信モジュールは、電気ケーブルを介して前記送信モジュールから電源供給を受けることを特徴とする前記［１］に記載の信号伝送装置。
【００１１】
［３］ホストコンピュータ内に設置されると共に前記ホストコンピュータのバスから電源供給を受ける電源供給用基板と、前記電源供給用基板から電源供給を受けると共に前記ホストコンピュータからの画像情報を含む電気信号が入力され、少なくとも前記画像情報を光信号として送信する送信モジュールと、光伝送媒体を介して前記送信モジュールから送信された前記光信号を含む信号を受信し、この受信信号を電気信号にして出力する受信モジュールと、を備えたことを特徴とする信号伝送装置。
【００１２】
［４］前記送信モジュールは、前記ホストコンピュータ内に設置されていることを特徴とする前記［１］または［３］に記載の信号伝送装置。
【００１３】
［５］複数の発光素子を備えた光コネクタと、ホストコンピュータからの画像情報に基づいて前記複数の発光素子を駆動する電気−光変換回路素子と、前記ホストコンピュータの電源ラインを含むバスに接続されたスロットに装着されると共に、前記光コネクタ及び前記電気−光変換回路素子を搭載した基板とを備えたことを特徴とする送信モジュール。
【００１４】
［６］前記基板は、前記ホストコンピュータからの画像情報をＤＶＩ（Digital Visual Interface）信号に変換して前記電気−光変換回路素子へ出力するビデオ／ＤＶＩ回路素子を搭載していることを特徴とする前記［５］に記載の送信モジュール。
【発明の効果】
【００１５】
請求項１の信号伝送装置によれば、送信モジュールの電源にＡＣアダプタを用いない構成にすることができる。
【００１６】
請求項２の信号伝送装置によれば、受信モジュールに対し、ＡＣアダプタによる電源供給を不要にすることができる。
【００１７】
請求項３の信号伝送装置によれば、送信モジュールをＬｏｗｐｒｏｆｉｌｅタイプにした場合でも、ＡＣアダプタを用いずに送信モジュールに電源を供給することができる。
【００１８】
請求項４の信号伝送装置によれば、送信モジュールの設置スペースを外部に確保せずに済ますことができる。
【００１９】
請求項５の送信モジュールによれば、電源にＡＣアダプタを用いない構成にすることができる。
【００２０】
請求項６の送信モジュールによれば、画像情報をＤＶＩ信号に変換する回路を別途設けずに済ますことができる。また、ホストコンピュータ内のスロットの利用数を増やすことができる。
【発明を実施するための最良の形態】
【００２１】
［第１の実施の形態］
（画像表示システムの構成）
図１は、本発明の第１の実施の形態に係る信号伝送装置を適用した画像表示システムを示す斜視図である。なお、同図におけるホストコンピュータは、側板を外した状態で示している。
【００２２】
画像表示システム１００は、ホストコンピュータ１と、ホストコンピュータ１からの画像・音声データに基づいて画像表示及び音声出力を行う画像表示装置２と、例えば、数十メートルの長さを有する光伝送媒体としての光ファイバ３及び電気ケーブル４を介して送信モジュール２０に接続されると共に、電気ケーブル５を介して画像表示装置２に接続された受信モジュール６とを備えて構成されている。
【００２３】
ホストコンピュータ１は、マザーボード（motherboard）１３、ＡＣ１００ＶからＤＣの＋３．３Ｖ、＋５Ｖ、＋１２Ｖ等を得る電源ユニット１４、ＤＶＤドライブ１５、本体１１内を冷却するシステムファン１６等が上記本体１１に内蔵されている。更に、本体１１の前面には正面パネル７が取り付けられており、この正面パネル７には、電源ＳＷ（スイッチ）１７、ＬＥＤ（発光ダイオード）ランプ１８等が設けられている。
【００２４】
マザーボード１３は、図示しないＣＰＵ、メモリ、ＣＰＵファン１９等を備えて構成されていると共に、ＰＣＩバス（Peripheral Component Interconnect bus）に接続された複数のＰＣＩスロット（PCI slot）１２を備え、その内の２つには送信モジュール２０とＤＶＩ信号処理カード３０が装着されている。
【００２５】
画像表示装置２は、例えば、表示ユニットにＤＶＩ対応のＬＣＤ２ａが用いられており、更に、このＬＣＤ２ａを駆動する表示制御回路、音声増幅回路、スピーカ、及び電源回路（いずれも図示せず）を備えて構成されている。
【００２６】
受信モジュール６は、光ファイバ３を接続するための光ファイバコネクタ３ｂ、電気ケーブル４，５を接続するための電気コネクタ４ｂ，５ａ、及び光ファイバ３からの光信号を電気信号に変換する光−電気（Ｏ／Ｅ）変換器（図示せず）を備えて構成されており、電源は図示しないＡＣアダプタから供給される。
【００２７】
（送信モジュールの構成）
図２は、送信モジュールの構成を示す斜視図である。送信モジュール２０は、ＰＣＩスロット１２に挿入される接続端子２１を備えた基板２２と、基板２２の一端に取り付けられたマウントブラケット２３と、マウントブラケット２３に取り付けられたＤＶＩ信号用のＤＶＩコネクタ２４と、光信号用の光コネクタ２５及び制御信号用の電気コネクタ２６と、図示しない各種電子部品、電源回路等と共に基板２２に実装されている電気−光（Ｅ／Ｏ）変換回路素子（以下、「Ｅ／Ｏ回路素子」という。）２７と、を備えて構成されている。
【００２８】
送信モジュール２０は、ＰＣＩバスに含まれる電源ラインから、ＤＣの＋５Ｖ、＋３．３ＶがＰＣＩスロット１２及び接続端子２１を介して供給されている。
【００２９】
マウントブラケット２３は、例えば、マザーボードの統一規格であるＡＴＸ規格に合わせた形状を有する取付金具であり、ホストコンピュータ１の背面パネルに取り付けられる。
【００３０】
光コネクタ２５は、Ｅ／Ｏ回路素子２７によって駆動される複数の発光素子、例えば、複数の半導体レーザをコネクタ部に所定間隔に設けて構成されている。
【００３１】
Ｅ／Ｏ回路素子２７は、ＤＶＩコネクタ２４から入力された映像データにより光コネクタ２５の複数の半導体レーザを駆動して光信号を生成するＬＳＩである。
【００３２】
（ＤＶＩ信号処理カード３０の構成）
図３は、ＤＶＩ信号処理カードの構成及び送信モジュールとの接続を示す斜視図である。ホストコンピュータ１には、送信モジュール２０と、この送信モジュール２０に隣接させたＤＶＩ信号処理カード３０とが２つのＰＣＩスロット１２に挿入されている。
【００３３】
ＤＶＩ信号処理カード３０は、ＤＶＩ信号出力コネクタ３３を備えたグラフィックカードであり、市販品を利用することができる。従って、画像表示装置２に限らず、ＤＶＩ仕様の画像表示装置をＤＶＩ信号出力コネクタ３３に接続すれば、画像を表示することができる。
【００３４】
このＤＶＩ信号処理カード３０は、ＰＣＩスロット１２に挿入される接続端子３４を備えた基板３１と、基板３１の一端に取り付けられたマウントブラケット３２と、マウントブラケット３２に取り付けられたＤＶＩ信号出力コネクタ３３と、図示しないメモリ等と共に基板３１に実装されたビデオ／ＤＶＩ回路素子３５とを備えて構成されている。
【００３５】
ビデオ／ＤＶＩ回路素子３５は、例えば、ＧＰＵ（グラフィック・プロセッシング・ユニット）を備えたグラフィック処理用のＬＳＩである。
【００３６】
ＤＶＩ信号処理カード３０のＤＶＩ信号出力コネクタ３３と送信モジュール２０のＤＶＩコネクタ２４とは、ＤＶＩメタルケーブル９ａによって相互接続されたプラグ９Ａ，９Ｂにより電気的に接続されている。
【００３７】
また、送信モジュール２０の光コネクタ２５には、光ファイバ３の光ファイバコネクタ３ａが接続され、電気コネクタ２６には電気ケーブル４の電気コネクタ４ａが接続されている。
【００３８】
（画像表示システムの動作）
次に、画像表示システム１００の動作について説明する。
まず、ユーザは、送信モジュール２０及びＤＶＩ信号処理カード３０を装着済みのホストコンピュータ１を用意すると共に、画像表示装置２及び受信モジュール６を用意する。
【００３９】
次に、図３に示すように、ユーザは、ＤＶＩ信号出力コネクタ３３とＤＶＩコネクタ２４をプラグ９Ａ，９Ｂ及びＤＶＩメタルケーブル９ａにより接続する。更に、光コネクタ２５に光ファイバ３の光ファイバコネクタ３ａを接続すると共に電気コネクタ２６に電気ケーブル４の電気コネクタ４ａを接続する。
【００４０】
次に、光ファイバ３の他端を光ファイバコネクタ３ｂにより接続受信モジュール６にすると共に、電気ケーブル４の他端を電気コネクタ４ｂにより受信モジュール６に接続する。また、画像表示装置２と受信モジュール６を電気ケーブル５で接続する。更に、図示しないＡＣアダプタの本体をＡＣ１００Ｖに接続すると共に、ＡＣアダプタの本体から引き出されているＤＣコードの先端に設けられたＤＣ出力プラグを受信モジュール６の図示しないソケットに接続する。
【００４１】
以上のようにして準備ができた後、ユーザは、ホストコンピュータ１及び画像表示装置２の電源をオンにする。そして、ホストコンピュータ１により、専用のソフトウェアを立ち上げてＤＶＩ信号処理カード３０を動作させ、ビデオ／ＤＶＩ回路素子３５により表示したい画像・音声データに対するＤＶＩ信号（ＴＭＤＳ ｄａｔａ０±〜ＴＭＤＳ ｄａｔａ２±、クロック信号ＴＭＤＳ ｃｌｏｋ±）を生成し、これをＤＶＩ信号出力コネクタ３３に出力させる。
【００４２】
ＤＶＩ信号出力コネクタ３３に出力されたＤＶＩ信号は、プラグ９Ａ、ＤＶＩメタルケーブル９ａ、プラグ９Ｂ及びＤＶＩコネクタ２４を介して送信モジュール２０に取り込まれる。送信モジュール２０は、ＲＧＢのＤＶＩ信号に基づいて基板２２に実装されているＥ／Ｏ回路素子２７を動作させることにより、光コネクタ２５の半導体レーザを駆動して光信号に変換し、その光信号を光ファイバコネクタ３ａへ出力する。
【００４３】
また、電気コネクタ２６には、電気信号（５Ｖ power、ＤＤＣ ｃｌｏｃｋ、ＤＤＣ ｄａｔａ、ＨＰＤ（Hot Plug Detect）等からなるディスプレイ制御信号）が出力される。ここで、５Ｖ power及びＨＰＤは、ホストコンピュータ１と画像表示装置２との接続確認用の信号である。
【００４４】
Ｅ／Ｏ回路素子２７から光ファイバコネクタ３ａに入光した光信号は、光ファイバ３及び光ファイバコネクタ３ｂを介して受信モジュール６に伝送されると共に、ディスプレイ制御信号が電気コネクタ４ａ、電気ケーブル４及び電気コネクタ４ｂを介して受信モジュール６に伝送される。
【００４５】
受信モジュール６は、送信モジュール２０からの光信号を受信モジュール６に内蔵の光−電気変換器により電気信号に変換し、電気ケーブル５へ出力する。一方、電気ケーブル４を介して受信モジュール６に伝送されたディスプレイ制御信号は、そのまま電気ケーブル５へ出力される。
【００４６】
画像表示装置２は、画像信号及びディスプレイ制御信号に基づいて画像処理を行うことによりＬＣＤ２ａに画像を表示する共に、音声信号を増幅してスピーカから音声を出力する。
【００４７】
［第２の実施の形態］
（画像表示システムの構成）
図４は、本発明の第２の実施の形態に係る送信モジュールとその周辺構成を示す斜視図である。
【００４８】
本実施の形態は、第１の実施の形態において、送信モジュール２０が標準規格であったのに対し、Ｌｏｗｐｒｏｆｉｌｅ規格の本体１１に対応できるように、Ｌｏｗｐｒｏｆｉｌｅ規格の送信モジュール４０を用いる構成にしたものであり、その他の構成は第１の実施の形態と同様である。
【００４９】
Ｌｏｗｐｒｏｆｉｌｅ規格においては、基板の幅が標準規格の１０６．７ｍｍに対して６４．４ｍｍと狭いため、図２に示した送信モジュール２０のように、マウントブラケット２３にＤＶＩコネクタ２４と光コネクタ２５の２つを設置することはできない。
【００５０】
そこで、本実施の形態では、図３に示したＤＶＩ信号処理カード３０を、Ｌｏｗｐｒｏｆｉｌｅ規格のＤＶＩ信号処理カード５０と電源供給用基板として機能するＤＶＩ信号入力カード６０の２枚に分割している。
【００５１】
即ち、本実施の形態においては、送信モジュール２０と同様の回路構成を有すると共に基板４１上に電気コネクタ４２を備えた送信モジュール４０と、第１の実施の形態におけるＤＶＩ信号処理カード３０の機能を２つに分けた構成のＤＶＩ信号処理カード５０及びＤＶＩ信号入力カード６０との３枚からなる構成にしている。
【００５２】
送信モジュール４０は、上記基板４１と、光コネクタ２５と、基板４１の側端に取り付けられたマウントブラケット４３とを備えて構成され、マウントブラケット４３からは電気コネクタ２６が除去されている。
【００５３】
ＤＶＩ信号処理カード５０は、メモリ、各種電子部品、電源回路等、及び図３に示したビデオ／ＤＶＩ回路素子３５（いずれも図示せず）が実装されていると共にＰＣＩスロット１２に挿入される接続端子５２を備えた基板５１と、上記ＤＶＩ信号出力コネクタ３３が取り付けられていると共に基板５１の側端に取り付けられたマウントブラケット５３とを備えて構成されている。
【００５４】
なお、ＤＶＩ信号処理カード５０は、Ｌｏｗｐｒｏｆｉｌｅ規格のグラフィクカードを利用することができる。
【００５５】
ＤＶＩ信号入力カード６０は、Ｌｏｗｐｒｏｆｉｌｅ化のために送信モジュール４０に設けることができなくなったＤＶＩコネクタ２４及び電気コネクタ２６を備えるが、信号処理は行わず、ＰＣＩバスから電源を取り込むと共に、ＤＶＩ信号をＤＶＩ信号処理カード５０から送信モジュール４０へ転送する機能を有している。
【００５６】
このＤＶＩ信号入力カード６０は、ＰＣＩスロット１２に挿入される接続端子６５を備えた基板６１と、上記ＤＶＩコネクタ２４及び電気コネクタ２６と、基板６１の接続端子６５に対向する端辺に設けられると共に電気コネクタ４２に複数本のリード６３を介して接続された電気コネクタ６２と、ＤＶＩコネクタ２４及び電気コネクタ２６が取り付けられていると共に基板６１の側端に取り付けられたマウントブラケット６４とを備えて構成されている。
【００５７】
なお、ＤＶＩ信号出力コネクタ３３とＤＶＩコネクタ２４とは、プラグ９Ａ、ＤＶＩメタルケーブル９ａ及びプラグ９Ｂを介して接続され、送信モジュール４０の光コネクタ２５には光ファイバ３の光ファイバコネクタ３ａが接続され、ＤＶＩ信号入力カード６０の電気コネクタ２６には電気ケーブル４の電気コネクタ４ａが接続される。
【００５８】
（第２の実施の形態の動作）
次に、第２の実施の形態の動作について説明する。
ホストコンピュータ１において、専用のソフトウェアが立ち上がると、ＤＶＩ信号処理カード５０が動作し、表示したい画像・音声データに対するＤＶＩ信号が生成され、ＤＶＩ信号出力コネクタ３３にＤＶＩ信号が出力される。
【００５９】
ＤＶＩ信号出力コネクタ３３に出力されたＤＶＩ信号は、プラグ９Ａ、ＤＶＩメタルケーブル９ａ、プラグ９Ｂ及びＤＶＩコネクタ２４を介してＤＶＩ信号入力カード６０に取り込まれる。
【００６０】
ＤＶＩ信号入力カード６０は、ＤＶＩコネクタ２４からのＤＶＩ信号を電気コネクタ６２へ出力する。このＤＶＩ信号は、電気コネクタ６２から出力され、複数本のリード６３を介して送信モジュール４０の電気コネクタ４２から送信モジュール４０に取り込まれる。
【００６１】
送信モジュール４０は、ＤＶＩ信号を基板４１上に実装されているＥ／Ｏ回路素子２７を動作させて光コネクタ２５の半導体レーザを駆動し、得られた光信号を光ファイバ３へ出力する。また、電気コネクタ２６には、電気信号が出力される。
【００６２】
光コネクタ２５に出力された光信号は、光ファイバコネクタ３ａ及び光ファイバ３を介して図１に示した受信モジュール６に伝送されると共に、電気コネクタ４ａ、電気ケーブル４及び電気コネクタ４ｂを介してディスプレイ制御信号が受信モジュール６に伝送される。
【００６３】
［第３の実施の形態］
図５は、本発明の第３の実施の形態に係る送信モジュールを示す斜視図である。
本実施の形態は、第１の実施の形態において、第１の実施の形態に示したＤＶＩ信号処理カード３０の機能を送信モジュール２０に搭載した構成の送信モジュール９０を用い、ＰＣＩカードが１枚で済むようにしたものであり、その他の構成は第１の実施の形態と同様である。
【００６４】
この送信モジュール９０は、第１の実施の形態に示したＥ／Ｏ回路素子２７、ビデオ／ＤＶＩ回路素子３５、各種電子部品及び電源回路等を基板２２に実装して構成されている。
【００６５】
本実施の形態においては、ホストコンピュータ１内のＰＣＩバスからＰＣＩスロット１２を介して送信モジュール９０の接続端子２１にビデオ・音声信号が入力される。このビデオ・音声信号は、基板２２上のビデオ／ＤＶＩ回路素子３５によりＤＶＩ信号が生成される。
【００６６】
ビデオ／ＤＶＩ回路素子３５によるＤＶＩ信号は、Ｅ／Ｏ回路素子２７による光コネクタ２５の半導体レーザの駆動により光信号に変換され、光コネクタ２５から出力される。また、第１の実施の形態と同様に、ＤＶＩの制御信号が電気コネクタ２６を介して受信モジュール６へ伝送される。
【００６７】
［第４の実施の形態］
図６は、本発明の第４の実施の形態に係る画像表示システムを示す斜視図である。
本実施の形態は、ＤＶＩ制御信号を送受信する電気ケーブル４内に電源供給用のラインを確保し、この電源ラインを介して、ホストコンピュータ１から送信モジュール２０に供給された電源を更に受信モジュール６に供給するようにしたものであり、その他の構成は第１の実施の形態と同様である。
【００６８】
送信モジュール２０は、ホストコンピュータ１のＰＣＩバスから電源が供給されると共に、受信モジュール６へ電源を出力するための受信モジュール用電源回路素子２９を搭載している。
【００６９】
本実施の形態におけるＤＶＩ信号の処理と伝送、及び電気信号の伝送は、第１の実施の形態で説明した通りであるので、ここでは説明を省略する。
【００７０】
［他の実施の形態］
なお、本発明は、上記各実施の形態に限定されず、その要旨を変更しない範囲内で種々な変形が可能である。例えば、各実施の形態間の構成要素の組合せは任意に行うことができる。例えば、第４の実施の形態は、第２，第３の実施の形態の送信モジュール４０，９０に対して適用することができる。
【００７１】
また、送信モジュール２０，４０，９０の電源は、ＰＣＩバスから受けるものとしたが、ＰＣＩバス以外のバスからであってもよい。
【図面の簡単な説明】
【００７２】
【図１】本発明の第１の実施の形態に係る信号伝送装置を適用した画像表示システムを示す斜視図である。
【図２】送信モジュールの構成を示す斜視図である。
【図３】図１のＤＶＩ信号処理カードの構成及び送信モジュールとの接続を示す斜視図である。
【図４】本発明の第２の実施の形態に係る送信モジュールとその周辺構成を示す斜視図である。
【図５】本発明の第３の実施の形態に係る送信モジュールを示す斜視図である。
【図６】本発明の第４の実施の形態に係る画像表示システムを示す斜視図である。
【符号の説明】
【００７３】
１  ホストコンピュータ
２  画像表示装置
３  光ファイバ
３ａ，３ｂ  光ファイバコネクタ
４，５        電気ケーブル
４ａ，４ｂ，５ａ  電気コネクタ
６  受信モジュール
７  正面パネル
９Ａ，９Ｂ  プラグ
９ａ  メタルケーブル
１１  本体
１２  ＰＣＩスロット
１３  マザーボード
１４  電源ユニット
１５  ＤＶＤドライブ
１６  システムファン
１８  ＬＥＤランプ
１９  ＣＰＵファン
２０，４０，９０  送信モジュール
２１，３４，５２  接続端子
２２，３１，４１，５１，６１  基板
２３，３２，４３，５３  マウントブラケット
２４  ＤＶＩ      コネクタ
２５  光コネクタ
２６，４２，６２  電気コネクタ
２７  Ｅ／Ｏ回路素子（電気−光変換回路素子）
２９  受信モジュール用電源回路素子
３０，５０  ＤＶＩ信号処理カード
３３  ＤＶＩ信号出力コネクタ
３５  ビデオ／ＤＶＩ回路素子
６０  ＤＶＩ信号入力カード
６３  リード
６４  マウントブラケット
６５  接続端子
１００  画像表示システム
【図１】
2008228041.tif 000003
【図２】
2008228041.tif 000004
【図３】
2008228041.tif 000005
【図４】
2008228041.tif 000006
【図５】
2008228041.tif 000007
【図６】
2008228041.tif 000008